(57)【要約】      （修正有）【課題】両足を持ち上げて両足を足掛けに引っ掛け、その位置を保持し、一人で容易におむつ交換ができるおむつ交換具を提供する。【解決手段】プラスチックなどで成形された背中受け本体１と、この背中受け本体に回転自在に足掛け３を設けたおむつ交換具。【選択図】図１
2020081827.tif 000002
【特許請求の範囲】
【請求項１】
プラスチックなどで成形された背中受け本体と、この背中受け本体に回転自在に足掛けを設けたものであるおむつ交換具
【請求項２】
前記特許請求の範囲第１項記載のおむつ交換具において、
背中受け本体の上面には、身体の背中に合うように湾曲させて形成した背中受け面を有するおむつ交換具。
【請求項３】
前記特許請求の範囲第１項記載のおむつ交換具において、
足掛けに足受け部を湾曲して設けたものであるおむつ交換具。
【請求項４】
トーションばねの上ベースに背中受け本体を設け、下ベースに足掛けをヒンジで取り付け、前記ヒンジは、その取付け位置を前後に調整可能としたものであるおむつ交換具。
【発明の詳細な説明】
【技術分野】
【０００１】  本発明は、おむつ交換具に関し、特に足を持ち上げてその位置に保持できるおむつ交換具に関するものである。
【背景技術】
【０００２】  ベッドや布団で寝たきりの人は、自分でトイレに行くことができないので、トイレに行くには家族や介護士の助けを借りることになる。
トイレに行けない成人や幼児については、おむつを着用するのが一般的であるが、おむつを交換するには重い両足を上げ、お尻を持ち上げなければないので大変な労力を伴う。
特に、大人は体が重いので、力のない女性や介護士にはきつい仕事となる。【０００３】  高齢になると頻尿になる。そのため、夜中に頻繁に交換しなければならず、家族の負担は相当なものである。
家族の負担をなくすために施設に入れることも考えられるが、本人が希望しないことや金銭的な問題もあり、これも儘ならないのが現状である。
デイサービスを利用することも考えられるが、日中はともかく、夜は家族が世話しなければならないので、家族の負担は同様である。【０００４】  従来は、家族の負担を軽くするために、紙おむつを使用することが一般的に行われている。
紙おむつを使用することによって家族の負担は軽減されるが、おむつの交換でも両足とお尻を持ち上げなければならないのは同じであり、重労働は解消されない。【０００５】  又、排泄物には多量の水分を含んでいるので、清潔な溢水防止構成とするおむつ交換具の提供も望まれている。【０００６】  本発明は、前記課題を解決することを指向して、おむつ交換に際して重労働を解消し、一人でも容易におむつ交換ができるおむつ交換具を提供することである。
又、おむつ交換に際して、清潔な汚物の処理ができる構成のおむつ交換具も望まれている。【０００７】
【先行技術文献】
【特許文献】
【０００８】
【特許文献１】公開特許第２００５−４６３５６号公報「おむつ交換補助具」
【特許文献２】公開特許第２００５−１３１３８２号公報「使い捨ておむつ」
【発明の概要】
【発明が解決しようとする課題】
【０００９】  特許文献１に記載された発明は、おむつ交換補助具に関するもので、具体的には、折り畳み可能なシート本体に一対のベルトを設け、このベルトを、幼児の胸部や胴部に着脱自在に掛けて留め、おむつを交換できるようにしたものである。
しかしながら、この特許文献１には、本発明のように、両足を持ち上げ、その位置を保持しながらおむつ交換ができる発明については言及されていない。【００１０】  特許文献２に記載された発明は、使い捨ておむつに関するもので、具体的には、浸水シートと液不透過性シートを積層して積層シートを構成し、水状便で衣服や布団が汚れることを防止するようにした発明が記載されている。
しかし、この発明は、単に、シートの改良に関するものであって、本発明のように、両足を、背中受け本体に回転自在に取り付けた足掛けに引っ掛け、その状態を維持した状態でおむつ交換ができることについては何ら記載されていない。【００１１】  すなわち、両足を持ち上げてその位置を保持しながら、おむつ交換ができる発明は、先行技術に見あたらないものである。
本発明の目的は、上述の課題を解決し、具体的には、両足を持ち上げてその位置を保持した状態で、おむつ交換ができるおむつ交換具を提供することにある。
【課題を解決するための手段】
【００１２】  前記目的を達成するために本発明は、プラスチックなどで成形された背中受け本体と、この背中受け本体に回転自在に取り付けた足掛けを設けたものであり、又、背中受け本体の上面は、身体の背中に合うように湾曲させたものであり、更に、足掛けには足受け部を湾曲して設けたものである。【００１３】  又、本発明は、トーションばねの上ベースに背中受け本体を、下ベースに足掛けをヒンジで取り付けたものであって、前記ヒンジは、その取付け位置を前後に調整可能としたおむつ交換具にある。
【発明の効果】
【００１４】  本発明は前記手段により本発明は、両足を持ち上げて両足を足掛けに引っ掛け、その位置を保持できるので、一人で容易におむつ交換ができるおむつ交換具を提供することができたものである。
従って、おむつ交換に際して家族や介助者の手を煩わすことなく、労力を軽減することができたものである
【図面の簡単な説明】
【００１５】
【図１】本発明の一実施例を示すおむつ交換具の平面図。
【図２】同正面図。
【図３】同右側面図。
【図４】図１のＡ−Ａ断面図。（トレーは？）
【図５】同下面図。
【図６】前記本発明の一実施例構成の使用状態を示す図。
【図７】本発明のおむつ交換保持具と組み合わせて使用する汚物受けパレットの平面図。
【図８】同側面図。
【図９】前記図７のＢ―Ｂ断面図。
【図１０】本発明で使用する汚物受けシートの平面図。
【図１１】同正面図。
【図１２】本発明の他の実施例を示す平面図。
【図１３】同正面図。
【図１４】同右側面図。
【図１５】同下面図。
【図１６】前記他の実施例の使用状態を示す図。
【発明を実施するための形態】
【００１６】  以下本発明の一実施例を図１乃至図１１に基づいて説明する。
図１は、本発明おむつ交換具の全体を示す平面図で、１は、身体全体の背中を保持する背中受け本体で、プラスチックやウレタンフォームなどで形成されている。背中受け本体１には、図２、図３のように、背中受け本体１に身体にフィットするように湾曲形成された背中受け面２が形成されている。
又、この背中受け面２は、図２に示すように、前後にも湾曲して、後方が前方より高くし、お尻が浮き上がるように形成されている。
尚、この湾曲部２の大きさは、着用する人の身体の大きさに合うように、例えば、大人、子供、幼児の大きさにアレンジすればよい。また、この大きさは任意である。
【００１７】  背中受け１の両側面には足掛け３が回転自在に取り付けてある。そして、この足掛け３は、両足を持ち上げたときに、両足を支持するのに充分な強度を持つように、太めの針金で構成されている。又、足掛け３には、図３に示すように、足の形状に合わせて湾曲させた足受け部４を形成している。
５は、背中受け本体１の側面に回転自在に取り付けるピンである。
【００１８】  ６は、図７乃至図９に示すように、前記背中受け本体１とは別に用意されている便などの排泄物を受けるトレーである。
トレー６は、樹脂などで構成し、その四辺には上方に折り曲げた立上がり部６１が設けられている。
この立上がり部６１はトレー６が排泄物を受けるとき、その汚物や水分が周囲に漏れるのを防止しているものである。
【００１９】  このトレー６には図１０、図１１に示したシート７が載せられている。
シート７は、水分透過性の不織布と、水分不透過性の不織布を重ねた積層シートとする。
水分透過性不織布は、汚物に含まれている水分を吸収するとともに、併せて小水も吸収するので、清潔且つ気持ちよく使用できる。
水分不透過性不織布は、透過性不織布で受けた水分が衣服に漏れるのを確実に防止する。
尚、不織布は織布でもよく、ガーゼのような水分を吸収するものであれば材質は問わない。
【００２０】  又、シート７は、トレー６より大きなサイズとし、排泄部を受けたときに下方に撓んでも排泄部や水分が溢れ出ないように配慮されている。
８は、シート７の一辺に取り付けられた紐で、シート７を捨てるときに、シーとを丸めて縛るのに使用するものである。
【００２１】  次に、前記のように構成された本発明おむつ交換具の使用例を図６に基づいて説明する。
図６において、介助者は足を持ち上げて、身体の背中を背中受け本体１に乗せる。
背中受け本体１の背中受け面２は後方に向かって高くなっているので、身体の背中とお尻が図示のように浮き上がる。
この状態で両足を足掛け３に引っ掛けると、お尻は浮き上がった状態を保持することができる。
このとき、お尻の下にシート７が載置されているトレー６を置けば、排泄物をトレーが確実に受けることができる。トレー６の周囲には立ち上り部６１が設けられているので水分を含む排泄物の飛散もないので清潔におむつ交換ができる。
【００２２】  又、背中を背中受け面２に当てるように構成しているので、身体が、平な背中受け面（図示せず）に当接するのに比較して片当たりもなく、身体は安定的に保持される。
更に、背中を持ち上げたときに両足を足掛け３に引っ掛けているので、人によって持ち上げる必要がなく、介助者や家族の負担が軽くなる。
【００２３】  前記で、トレー６及びシート７の代わりに市販されている紙おむつも使用できる。
すなわち、本発明の要旨は、背中受け本体１に足掛け３を回転自在に設けたことであり、それ以外の構成は本発明の特許請求の範囲内において種々変更できるものである。
【００２４】  図１２乃至図１６は、足掛け３の取り付け位置を調整できる他の実施例を示すものである。
尚、図に記入されている符号で前述の一実施例と同一の符号は、同一の部品であるので説明は省略してある。
【００２５】  図において、１０は、トーションばねである。１１は、トーションばねのピンで、このピン１１には、図示しないが身体を支持するのに耐えるのに充分な比較的強いばねが装着されている。
又、トーションばね１０は、２０度程度あるいは若干超える程度で停止するようになされており、おむつ換えのために身体を支持するのに充分な強さに設計されている。
【００２６】  １２は、前後にその位置が調整されたヒンジで、トーションばね１０の下ベース１３の上に取り付けられている。
このヒンジ１２は、コ字状に折り曲げられた針金で形成され、前述の足掛け３の回転軸１４を、前後に移動可能で、且つ、回転自在に支持するものである。
【００２７】  又、この回転軸１４はヒンジ１２のコ字状の空間に挿入し、前後に移動できるように支持されている。
従って、回転軸１４は前後に調整でき、これにより身体の大小に応じて足掛け３の高さが調整できるようになる。
【００２８】  又、前記トーションばね１０の上ベース１５の上面には、図１３、図１６のように前述した背中受け本体１が接着載置してある。
【００２９】  次に、図１６で、使用状態について説明する。
図示のように、足掛け３の回転軸１４をヒンジ１２の最前方に移動した状態を示しており、この場合、足は高い位置になるので大きな人に無理なく対応できる。
一方、図１３に示したのは、回転軸１４がヒンジ１２の最後方に位置させているので足掛けは低い位置になり、小さい人に適している。
このように本発明は、人の大小に限らず対応され、更に、おむつの交換作業が迅速かつ容易に行うことができる
【００３０】  本発明は前述のように、背中受け本体に足掛けを取り付けたので、おむつ交換に際して介助者や家族が両足を持ち上げてその位置を保持する必要がなくなり、介助者や家族の労力を省くことができる。
又、足掛けの取り付け位置を前後に可調整にしたので、大人、子供、あるいは幼児の大きさに限らずおむつ交換が簡単且つ容易になる効果を有する。
【００３１】  尚、本発明は、一実施例構成、他の実施例の構成に限らず、特許請求の範囲を逸脱しない変形例や応用例をも含むものであることは言うまでもない。
【符号の説明】
【００３２】  １…背中受け本体、１Ａ…補強板、２…背中受け面、３…足掛け、４…足受け部、５…ピン、６…トレー、６１…立ち上がり部、７…シート、８…紐、１０…トーションばね、１１…ピン、１２…ヒンジ、１３…下ベース、１４…回転軸、１５…上ベース
【図１】
2020081827.tif 000003
【図２】
2020081827.tif 000004
【図３】
2020081827.tif 000005
【図４】
2020081827.tif 000006
【図５】
2020081827.tif 000007
【図６】
2020081827.tif 000008
【図７】
2020081827.tif 000009
【図８】
2020081827.tif 000010
【図９】
2020081827.tif 000011
【図１０】
2020081827.tif 000012
【図１１】
2020081827.tif 000013
【図１２】
2020081827.tif 000014
【図１３】
2020081827.tif 000015
【図１４】
2020081827.tif 000016
【図１５】
2020081827.tif 000017
【図１６】
2020081827.tif 000018